(57)【特許請求の範囲】
【請求項１】
本体内に設けられた内部冷却ファンと、投射用ランプを駆動するランプ駆動回路と、内部冷却ファン及びランプ駆動回路をオンオフ制御する制御回路とを備えた液晶プロジェクタにおいて、前記制御回路は、投射用ランプを消灯させた後、本体の内部温度が一定温度以下になった時に内部冷却ファンを停止させるように制御すると共に、制御回路から内部冷却ファンへのオンオフ制御信号が外部に出力される外付けファン制御端子が設けられていることを特徴とする液晶プロジェクタ。
【請求項２】
本体内に設けられた内部冷却ファンと、投射用ランプと、温度センサと、内部冷却ファンをオンオフ制御する制御回路とを備えた液晶プロジェクタにおいて、前記制御回路は、温度センサの検出温度に応じて内部冷却ファンの回転数を制御すると共に、制御回路から内部冷却ファンへのオンオフ制御信号及び回転数制御信号が外部に出力される外付けファン制御端子が設けられていることを特徴とする液晶プロジェクタ。
【発明の詳細な説明】
【０００１】
【発明の属する技術分野】
この発明は、液晶プロジェクタに関する。
【０００２】
【従来の技術】
液晶プロジェクタにおいては、主として投射用ランプから熱が発生するとともに、信号処理等の電気回路からも熱が発生する。そこで、液晶プロジェクタ本体内には、液晶プロジェクタ内の温度上昇を抑制するために、電動モータによって駆動される冷却ファンが設けられている。
【０００３】
この冷却ファンは動作用電源がオンされたときに駆動される。そして、動作用電源がオフされた後に、一定時間（例えば６０秒）が経過したときまたは内部温度が一定温度以下になったときに冷却ファンは停止せしめられる。このような冷却ファンのオンオフ制御は、液晶プロジェクタに設けられている制御回路によって行われる。
【０００４】
ところで、冷却ファンによる冷却は、空冷であるため液晶プロジェクタが設置されている場所の気温が高い場合には、十分な冷却効果が期待できない。このような場合、冷却効果を向上させるために、液晶プロジェクタ本体の外部に電動モータによって駆動される外付け冷却ファンを設置することが考えられる。しかしながら、液晶プロジェクタの外部に電動モータによって駆動される外付け冷却ファンを設置した場合、その外付け冷却ファンのオンオフを手動で行わなければならず、その操作が煩わしいという問題がある。
【０００５】
【発明が解決しようとする課題】
この発明は、液晶プロジェクタ本体の外部に電動モータによって駆動される外付け冷却ファンを設置した場合に、その外付け冷却ファンのオンオフ制御を自動的に行いやすくなる液晶プロジェクタを提供することを目的とする。
【０００６】
また、この発明は、液晶プロジェクタ内に設けられた内部冷却ファンの回転数が内部温度に基づいて制御されている場合に、液晶プロジェクタ本体の外部に設置した外付け冷却ファンの回転数を、内部冷却ファンと同様に制御しやすくなる液晶プロジェクタを提供することを目的とする。
【０００７】
【課題を解決するための手段】
上記課題を解決するための第１の手段は、本体内に設けられた内部冷却ファンと、投射用ランプを駆動するランプ駆動回路と、内部冷却ファン及びランプ駆動回路をオンオフ制御する制御回路とを備えた液晶プロジェクタにおいて、前記制御回路は、投射用ランプを消灯させた後、本体の内部温度が一定温度以下になった時に内部冷却ファンを停止させるように制御すると共に、制御回路から内部冷却ファンへのオンオフ制御信号が外部に出力される外付けファン制御端子が設けられていることを特徴とする。
【０００８】
上記課題を解決するための第２の手段は、本体内に設けられた内部冷却ファンと、投射用ランプと、温度センサと、内部冷却ファンをオンオフ制御する制御回路とを備えた液晶プロジェクタにおいて、前記制御回路は、温度センサの検出温度に応じて内部冷却ファンの回転数を制御すると共に、制御回路から内部冷却ファンへのオンオフ制御信号及び回転数制御信号が外部に出力される外付けファン制御端子が設けられていることを特徴とする。
【０００９】
【発明の実施の形態】
以下、図面を参照して、この発明の実施の形態について説明する。
【００１０】
図１は、主として、液晶プロジェクタ本体内に設けられた内部冷却ファン、投射用ランプの駆動制御回路を示している。
【００１１】
１は、投射レンズである。２は、液晶パネルである。３は、投射用ランプである。４は、ランプ駆動回路である。５、６、７は液晶プロジェクタ本体内に設けられた内部吸気ファンである。８は、液晶プロジェクタ本体内に設けられた内部排気ファンである。１０は、ランプ駆動回路４のオンオフ制御を行ったり、内部吸気ファン５、６、７および内部排気ファン８のオンオフ制御を行う制御回路である。９は、外付けファン制御用端子である。
【００１２】
動作用電源がオンされたときには、制御回路１０は、内部吸気ファン５、６、７および内部排気ファン８を駆動させた後、投射用ランプ３を点灯させる。そして、動作用電源がオフされると、制御回路１０は、投射用ランプ３を消灯させる。また、動作用電源がオフされた後、一定時間が経過したときに、制御回路１０は、内部吸気ファン５、６、７および内部排気ファン８の駆動を停止させる。
【００１３】
なお、制御回路１０は、動作用電源がオフされた後、内部温度が一定温度以下になったときに、内部吸気ファン５、６、７および内部排気ファン８の駆動を停止させるようにしてもよい。
【００１４】
制御回路１０による内部吸気ファン５、６、７および内部排気ファン８のオンオフ制御信号は、外付けファン制御用端子９にも送られる。この例では、外付けファン制御用端子９としては、ＲＳ２３２Ｃ規格に準拠したものが用いられている。
【００１５】
図２は、液晶プロジェクタ本体の外側に、外付けの冷却ファンが設置された場合の構成例を示している。
【００１６】
この例では、液晶プロジェクタ本体２０は、多くの人が喫煙する場所等のように空気が汚れやすい環境下に設置されているものとする。このような環境下に液晶プロジェクタ本体２０が設置された場合、投射レンズ１等の光学系や液晶パネル２に汚れが付着して、性能が劣化しやすく。
【００１７】
そこで、この実施の形態では、汚れた外気から液晶プロジェクタ本体２０を保護するため、液晶プロジェクタ本体２０をカバー３０で密閉するようにしている。
【００１８】
カバー３０には、光学的な透光部３１が設けられている。また、カバー３０には、吸気孔３２と排気孔３３とが開けられている。カバー３０には、吸気孔３２を塞ぐように、外付け吸気ファン４１とエアーフィルタ４２とが取り付けられている。また、カバー３０には、排気孔３３を塞ぐように、外付け排気ファン５１が取り付けられている。
【００１９】
液晶プロジェクタ本体２０に設けられた外付けファン制御用端子９は、外付け吸気ファン４１と外付け排気ファン５１のためのファン制御端子６１を介して外付け吸気ファン４１と外付け排気ファン５１に電気的に接続されている。
【００２０】
したがって、外付け吸気ファン４１と外付け排気ファン５１は、内部の冷却ファン５、６、７、８と同様にオンオフ制御される。外付け吸気ファン４１と外付け排気ファン５１とが駆動された場合には、カバー３０内の空気が入れ換えられるため、液晶プロジェクタ本体２０内の冷却効果が向上する。
【００２１】
なお、内部の冷却ファン５、６、７、８が駆動されている場合において、内部の冷却ファン５、６、７、８の回転数が、液晶プロジェクタ本体２０内に設けられた温度センサの検出温度に応じて制御される場合には、その回転制御信号をも外付けファン制御用端子９を介して外付け吸気ファン４１と外付け排気ファン５１に送るようにしてもよい。このようにすると、外付け吸気ファン４１と外付け排気ファン５１に対しても、その駆動時において、内部の冷却ファン５、６、７、８と同様に回転制御が行えるようになる。
【００２２】
【発明の効果】
この発明によれば、液晶プロジェクタの外部に電動モータによって駆動される外付け冷却ファンを設置した場合に、その外付け冷却ファンのオンオフ制御を自動的に行いやすくなる。
【００２３】
また、この発明によれば、液晶プロジェクタ内に設けられた内部冷却ファンの回転数が内部温度に基づいて制御されている場合に、液晶プロジェクタの外部に設置した外付け冷却ファンの回転数を、内部冷却ファンと同様に制御しやすくなる。
【図面の簡単な説明】
【図１】主として、液晶プロジェクタ本体内に設けられた内部冷却ファン、投射用ランプの駆動制御回路の構成を示すブロック図である。
【図２】液晶プロジェクタ本体の外側に、外付けの冷却ファンが設置された場合の構成例を示す模式図である。
【符号の説明】
１  投射レンズ
２  液晶パネル
３  投射用ランプ
４  ランプ駆動回路
５、６、７  内部吸気ファン
８  内部排気ファン
９  外付けファン制御用端子
１０  制御回路
２０  液晶プロジェクタ本体
３０  カバー
３１  透光部
４１  外付け吸気ファン
４２  エアーフィルタ
５１  外付け排気ファン
６１  ファン制御端子
【図１】
0003691451.tif 000002
【図２】
0003691451.tif 000003